(57)【特許請求の範囲】
【請求項１】
鉄筋受けと鉄筋受け肩を有する略門形の本体部と、この本体部の両支柱より延設した対の外側の足部と、前記略門形の本体部と相似形で、当該本体部に組込まれる連結上部を有する略門形の補助本体部と、この補助本体部の両支柱より延設した対の内側の足部と、この内側の足部と前記外側の足部とを連結する連結足部とで構成される鉄筋受けを備えたスペーサであって、
前記外側・内側の足部は、前記本体部・補助本体部の支柱の立設位置を中心として対峙方向に位置し、またこの本体部の鉄筋受けに、前記補助本体部の連結上部が当接し、この本体部と、前記補助本体部とが一重に重なった状態とし、同じ水平面上に垂設し、正面視した際に、重ね合せ門形となり、この重ね合せ門形内において、三箇所の隙間が形成された状態となる構成の鉄筋受けを備えたスペーサ。
【請求項２】
鉄筋受けと鉄筋受け肩を有する略門形の本体部と、この本体部の両支柱より延設した対の外側の足部と、前記略門形の本体部と相似形で、同じ水平面上に垂設し、正面視した際に、重ね合せ門形となり、この重ね合せ門形内において、三箇所の隙間が形成され、当該本体部に組込まれる連結上部を有する補助本体部と、この補助本体部の両支柱より延設した対の内側の足部と、この内側の足部と前記外側の足部とを連結する連結足部と、他の内側の足部と前記他の外側の足部とを連結する補助足部とで構成される鉄筋受けを備えたスペーサであって、
前記外側・内側の足部は、前記本体部・補助本体部の支柱の立設位置を中心として対峙方向に位置し、またこの本体部の鉄筋受けに、前記補助本体部の連結上部が当接し、この本体部と、前記補助本体部とが一重に重なった状態とし、同じ水平面上に垂設し、正面視した際に、重ね合せ門形となり、この重ね合せ門形内において、三箇所の隙間が形成された状態となる構成の鉄筋受けを備えたスペーサ。
【請求項３】
鉄筋受けと鉄筋受け肩を有する略門形の本体部と、この本体部の両支柱より延設した対の外側の足部と、前記略門形の本体部と相似形で、同じ水平面上に垂設し、正面視した際に、重ね合せ門形となり、この重ね合せ門形内において、三箇所の隙間が形成され、当該本体部に組込まれる連結上部を有する補助本体部と、この補助本体部の両支柱より延設した対の内側の足部と、この内側の足部と前記外側の足部とを連結する連結足部とで構成される鉄筋受けを備えたスペーサであって、
前記外側の足部は、前記本体部の支柱の立設位置を中心として同じ方向に位置するとともに、前記内側の足部は、前記補助本体部の支柱の立設位置を中心として対峙方向に位置し、またこの本体部の鉄筋受けに、前記補助本体部の連結上部が当接するとともに、この本体部と、前記補助本体部とが一重に重なった状態とし、同じ水平面上に垂設し、正面視した際に、重ね合せ門形となり、この重ね合せ門形内において、三箇所の隙間が形成された状態となる構成の鉄筋受けを備えたスペーサ。
【発明の詳細な説明】
【０００１】
【発明の属する技術分野】
この発明は、厚いスラブ内の下方鉄筋を受けることを意図する鉄筋受けを備えた高強度のスペーサに関する。
【０００２】
【従来の技術】
この種の鉄筋受けを備えたスペーサとしては、次のような文献（１）〜文献（３）が挙げられる。文献（１）は、特開平６−７３８１８号の合成床板およびその製作法である。この発明のスペーサは、安定性に乏しく、コンクリートＣ１により拘束されて始めて、このスペーサの上に鉄筋を載せることができる構成である。また文献（２）は、特開２０００−２９１２０６の線材製鉄筋受けである。この発明は、上下筋受けを備えたスペーサであり、２本の線材を直角に交差合成したものである。しかし、支柱（足部）より延設される型面（堰板、型枠）等に接地する足部（接地部位）が短く、かつ連結されていないため、荷重に対して一体となって抵抗できないこと、また前記の如く、連結する構成でないことから、２本の線材の接合部に大きな力が集中し破壊する危険性があること、等の問題がある。さらに文献（３）は、実用新案登録第３０２５１４９号の床用スペーサがある。この考案は、柱部の自由端に設けられた支承部材が筒である。従って、この筒に鉄筋を通さなくてはならず、手間がかかること、また鉄筋が２重にラップしている箇所では接地が不可能となること、等の問題がある。
【０００３】
【発明が解決しようとする課題】
前記文献（１）〜（３）は、それぞれ非安定性、強度不足、非効率的な施工性、又は施工不能の課題が考えられること、又は正確なスペーサの位置の確保、又は配筋等が図れないこと、等の課題がある。また設計通りの配筋ができないことから、欠陥配筋工事となり兼ねない課題も考えられる。
【０００４】
上記に鑑み、本発明は、スペーサを一本の金属線材を曲折形成して製作することで、このスペーサの製作から使用までの間、変形等の品質低下をきたさないこと、また本体部と補助本体部との組合せ構成とすることで、作業床上で鉄筋を載せても安定性が高く転倒しないこと、又は鉄筋及び作業員の重量で変形若しくは破壊しないこと、施工性が高く鉄筋組立てのコストダウンに資すること、等を意図する。
【０００５】
【課題を解決するための手段】
請求項１の発明は、鉄筋及び／又はコンクリート、人等の荷重を受止め得る構成とすること、また傾斜方向及び／又は横方向からの衝撃又はコンクリートの流動に対して、転倒又は傾斜する虞がない構成とすること、又はこの転倒等の状態を回避して、安定性と、配筋の正確性及び設計通りの施工等の確保を図ること、また欠陥配筋工事の回避を図ること、等を意図する。
【０００６】
請求項１は、鉄筋受けと鉄筋受け肩を有する略門形の本体部と、この本体部の両支柱より延設した対の外側の足部と、前記略門形の本体部と相似形で、同じ水平面上に垂設し、正面視した際に、重ね合せ門形となり、この重ね合せ門形内において、三箇所の隙間が形成され、当該本体部に組込まれる連結上部を有する補助本体部と、この補助本体部の両支柱より延設した対の内側の足部と、この内側の足部と前記外側の足部とを連結する連結足部とで構成される鉄筋受けを備えたスペーサであって、
前記外側・内側の足部は、前記本体部・補助本体部の支柱の立設位置を中心として対峙方向に位置し、またこの本体部の鉄筋受けに、前記補助本体部の連結上部が当接し、この本体部と、前記補助本体部とが一重に重なった状態とし、同じ水平面上に垂設し、正面視した際に、重ね合せ門形となり、この重ね合せ門形内において、三箇所の隙間が形成された状態となる構成の鉄筋受けを備えたスペーサである。
【０００７】
請求項２の発明は、請求項１の目的の他に、さらに内外側の足部の強度の向上を図り、荷重に耐え得る構造とすることを意図する。
【０００８】
請求項２は、鉄筋受けと鉄筋受け肩を有する略門形の本体部と、この本体部の両支柱より延設した対の外側の足部と、前記略門形の本体部と相似形で、同じ水平面上に垂設し、正面視した際に、重ね合せ門形となり、この重ね合せ門形内において、三箇所の隙間が形成され、当該本体部に組込まれる連結上部を有する補助本体部と、この補助本体部の両支柱より延設した対の内側の足部と、この内側の足部と前記外側の足部とを連結する連結足部と、他の内側の足部と前記他の外側の足部とを連結する補助足部とで構成される鉄筋受けを備えたスペーサであって、
前記外側・内側の足部は、前記本体部・補助本体部の支柱の立設位置を中心として対峙方向に位置し、またこの本体部の鉄筋受けに、前記補助本体部の連結上部が当接し、この本体部と、前記補助本体部とが一重に重なった状態とし、同じ水平面上に垂設し、正面視した際に、重ね合せ門形となり、この重ね合せ門形内において、三箇所の隙間が形成された状態となる構成の鉄筋受けを備えたスペーサである。
【０００９】
請求項３の発明は、請求項１と同じ目的を達成することを意図する。
【００１０】
請求項３は、鉄筋受けと鉄筋受け肩を有する略門形の本体部と、この本体部の両支柱より延設した対の外側の足部と、前記略門形の本体部と相似形で、同じ水平面上に垂設し、正面視した際に、重ね合せ門形となり、この重ね合せ門形内において、三箇所の隙間が形成され、当該本体部に組込まれる連結上部を有する補助本体部と、この補助本体部の両支柱より延設した対の内側の足部と、この内側の足部と前記外側の足部とを連結する連結足部とで構成される鉄筋受けを備えたスペーサであって、
前記外側の足部は、前記本体部の支柱の立設位置を中心として同じ方向に位置するとともに、前記内側の足部は、前記補助本体部の支柱の立設位置を中心として対峙方向に位置し、またこの本体部の鉄筋受けに、前記補助本体部の連結上部が当接するとともに、この本体部と、前記補助本体部とが一重に重なった状態とし、同じ水平面上に垂設し、正面視した際に、重ね合せ門形となり、この重ね合せ門形内において、三箇所の隙間が形成された状態となる構成の鉄筋受けを備えたスペーサである。
【００１１】
【００１２】
【００１３】
【００１４】
【００１５】
【００１６】
【００１７】
【００１８】
【００１９】
【００２０】
【００２１】
【発明の実施の形態】
本発明の使用の一例を説明すると、例えば、型面上に適宜間隔で、本発明のスペーサを、碁盤目状に配置する。続いて、段取り筋を配筋する。例えば、スペーサを目安とし、その近傍に段取り筋を配筋する。この段取り筋を、配置済みのスペーサの上に、順次載架して、所定の位置に設置する。そして、この段取り筋に下ば筋となる主筋の配筋位置を印す。この下ば筋の印しに合わせて主筋を載せ、番線等の結束線で、段取り筋と主筋とを固止する。この際に、スペーサの本体部の鉄筋受けに、段取り筋を架承するとともに、この略門形の本体部の鉄筋受け肩に主筋を当接する。従って、鉄筋を設計通りの位置に存在させ得ること、又は安定性の向上が図れること、或いは欠陥配筋工事を回避できること、等の現場における実益がある。続いて、この主筋に配力筋の配筋位置を印す。主筋の印しに合わせて配力筋を載せ、結束線で、段取り筋と主筋とを固止する。このスペーサへの主筋及び配力筋の載架所作は、容易であるので、配筋等の作業が、確実かつ迅速に行える。従って、当該スペーサを、所定箇所の交差部に、確実かつスａムーズに配置できること、又はこのスペーサは、鉄筋・人・コンクリート等の荷重に十分に耐え得ること、また鉄筋を設計通りの位置に存在させ得ることから、安定性の向上が図れること、或いは欠陥配筋工事を回避できること、等の現場における実益がある。
【００２２】
尚、載架の際に、本体部及び／又は連結部の足部が、それぞれ対峙方向となること、また連結足部を介して設置することから、転倒、傾斜等の虞がなく、安定した状態での設置が可能となること、又は所定（設計上）の位置に設置できること、及び欠陥配筋工事を回避できること、等の実益がある。
【００２３】
【実施例】
以下、本発明の一実施例を図面を参照して説明する。
【００２４】
以下説明する実施例は、大きく区別すると、図１〜図７の例は、請求項１、請求項２、請求項３に対応する一例であり、略門型の本体部と、略門型の補助本体部とが一重に重なった構成、また図８〜図１２の例は、略門型の本体部と、略門型の補助本体部とが直交する構成、尚図１３の例は、略門型の本体部と、略門型の補助本体部とが直交する構成、尚図１４、図１５又は図１６、図１７の例は、略門型の本体部と、略門型の補助本体部とが不規則に交差する構成となっている。従って、説明及び図面では、共通する構成、名称又は番号等は共用する。
【００２５】
図１〜図７の例は、１は鉄筋Ａ受け用のスペーサで、このスペーサ１は、鉄筋受け２０と鉄筋受け肩２１、２１を有する略門形の本体部２と、この本体部２の両支柱２２、２２より延設した対の外側の足部３、３と、この略門形の本体部２と相似形で、当該本体部２に組込まれる連結上部４０を有する略門形の補助本体部４と、この補助本体部４の両支柱４１、４１より延設した対の内側の足部５、５と、この他の内側の足部５と前記外側の足部３とを連結する連結足部６とで構成されており、前記外側の足部３、３は、本体部２の支柱２２の立設位置を中心として対峙方向に位置し、また内側の足部５、５は、本体部２の支柱２２の立設位置を中心として対峙方向に位置した構成である。そして、この例では、本体部２の鉄筋受け２０に、補助本体部４の連結上部４０が当接することで、本体部２と、補助本体部４とが一重に重なった状態となる。またこの一重に重なった状態を見ると、この本体部２と、補助本体部４との間に、隙間Ｈが三箇所形成される。尚、図６の例は、他の外側の足部３を延設して前記他の内側の足部５に添接、又は連結する補助足部６０を設けた構成であり、一層の安定性と、耐荷重性の向上を意図する（他の例も同じ）。また補助本体部４の連結上部４０が当接（添接）する箇所、内側の足部５と補助足部６０の添接等する箇所は、原則として溶接する（以下同じ）。
【００２６】
図８〜図１１の例は、前記図１〜図４の例の変形例であり、本体部２の鉄筋受け２０に、補助本体部４の連結上部４０が添接し、本体部２と、補助本体部４とが交差する状態となる。またこの交差した状態を目視した際に、この本体部２と、補助本体部４との間に、隙間Ｈが二箇所形成される。また図１２は、前記図８の変形例であり、本体部２の鉄筋受け２０に、補助本体部４の連結上部４０が添接し、本体部２と、補助本体部４とが交差する状態となる。またこの交差した状態を目視した際に、この本体部２と、補助本体部４との間に、隙間Ｈが二箇所形成される。そして、図８〜図１１の他の構成は、前述の図１〜図５に準ずる。また図１２の例には、前記図６の如く、補助足部を設け、連結足部６に添接することも可能である。尚、図１３は、この図７〜図１１の変形例であり、本体部２に設けた他の外側の足部３を、本体部２の鉄筋受け肩２１方向に延設した構成であって、延設足部３０とする。この例では、転倒又は傾斜に対して有効と思われる（他の例も同じ）。この例の外側の足部３、３は、略９０°方向に位置する構成である。またこの外側の足部３と、延設足部３０との構成は、前記図１の例にも採用できる。
【００２７】
図１４、図１５は、図８〜図１１の変形例であり、この図８の例の交差角度を変更し、連結足部６の長さを幾分長くした構成である。この他の外側の足部３は、他に図１１の例と、図１２の延設足部３０も採用できる（他も同じ）。そして、図１４の例は、図１３の外側の足部３と、延設足部３０との構成、また図１５の例は、図１４の例に補助足部６０を設けた構成、でも可能である（他の例も同じ）。
【００２８】
図１６、図１７は、図８、又は図１４、図１５の他の変形例であり、この図１４、図１５に対して逆方向の交差角度を示している。この例では、図７の例に対して、連結足部６と、他の内側の足部５、又は場合により内側の足部５との長さが幾分長くなった構成である。
【００２９】
本発明のスペーサ１は、一本の金属線材を曲折形成して形成する。また内外側の足部５、３、又は連結足部６等に、防錆、キャップ等を施すことは従来と同様である。また支柱２２、４１の一部に、防錆等を施すことは従来と同様である。図中Ｂは型面を示す。
【００３０】
【発明の効果】
請求項１の発明は、鉄筋受けと鉄筋受け肩を有する略門形の本体部と、本体部の両支柱より延設した対の外側の足部と、略門形の本体部と相似形で、同じ水平面上に垂設し、正面視した際に、重ね合せ門形となり、この重ね合せ門形内において、三箇所の隙間が形成され、本体部に組込まれる連結上部を有する補助本体部と、補助本体部の両支柱より延設した対の内側の足部と、内側の足部と外側の足部とを連結する連結足部とで構成される鉄筋受けを備えたスペーサであって、外側・内側の足部は、本体部・補助本体部の支柱の立設位置を中心として対峙方向に位置し、また本体部の鉄筋受けに、補助本体部の連結上部が当接し、本体部と、補助本体部とが一重に重なった状態とし、同じ水平面上に垂設し、正面視した際に、重ね合せ門形となり、この重ね合せ門形内において、三箇所の隙間が形成された状態となる構成の鉄筋受けを備えたスペーサである。従って、鉄筋及び／又はコンクリート、人等の荷重を受止め得る構成となること、また傾斜方向及び／又は横方向からの衝撃又はコンクリートの流動に対して、転倒又は傾斜する虞がない構成になること、又はこの転倒等の状態を回避して、安定性と、配筋の正確性及び設計通りの施工等の確保ができること、また欠陥配筋工事の回避が図れること、等の特徴がある。
【００３１】
請求項２の発明は、鉄筋受けと鉄筋受け肩を有する略門形の本体部と、本体部の両支柱より延設した対の外側の足部と、略門形の本体部と相似形で、同じ水平面上に垂設し、正面視した際に、重ね合せ門形となり、この重ね合せ門形内において、三箇所の隙間が形成され、本体部に組込まれる連結上部を有する補助本体部と、補助本体部の両支柱より延設した対の内側の足部と、内側の足部と前記外側の足部とを連結する連結足部と、他の内側の足部と前記他の外側の足部とを連結する補助足部とで構成される鉄筋受けを備えたスペーサであって、外側・内側の足部は、本体部・補助本体部の支柱の立設位置を中心として対峙方向に位置し、また本体部の鉄筋受けに、補助本体部の連結上部が当接し、本体部と、前記補助本体部とが一重に重なった状態とし、同じ水平面上に垂設し、正面視した際に、重ね合せ門形となり、この重ね合せ門形内において、三箇所の隙間が形成された状態となる構成の鉄筋受けを備えたスペーサである。従って、請求項２の発明は、請求項１の目的の他に、さらに内外側の足部の強度の向上が図れ、かつ耐荷重性の向上が図れること等の特徴がある。
【００３２】
また請求項３は、鉄筋受けと鉄筋受け肩を有する略門形の本体部と、本体部の両支柱より延設した対の外側の足部と、略門形の本体部と相似形で、同じ水平面上に垂設し、正面視した際に、重ね合せ門形となり、この重ね合せ門形内において、三箇所の隙間が形成され、本体部に組込まれる連結上部を有する補助本体部と、補助本体部の両支柱より延設した対の内側の足部と、内側の足部と外側の足部とを連結する連結足部とで構成される鉄筋受けを備えたスペーサであって、外側の足部は、前記本体部の支柱の立設位置を中心として同じ方向に位置するとともに、内側の足部は、補助本体部の支柱の立設位置を中心として対峙方向に位置し、また本体部の鉄筋受けに、補助本体部の連結上部が当接するとともに、本体部と、前記補助本体部とが一重に重なった状態とし、同じ水平面上に垂設し、正面視した際に、重ね合せ門形となり、この重ね合せ門形内において、三箇所の隙間が形成された状態となる構成の鉄筋受けを備えたスペーサである。従って、請求項１と同じ効果が期待できる。
【００３３】
【００３４】
【００３５】
【００３６】
【００３７】
【００３８】
【図面の簡単な説明】
【図１】      請求項１に対応する本発明の一例を示す斜視図
【図２】      図１の正面図
【図３】      図１の側面図
【図４】      図１の平面図
【図５】      図１の使用状態を示す模式図
【図６】      請求項１に対応する本発明の他の一例を示す斜視図
【図７】      請求項２に対応する本発明の一例を示す斜視図
【図８】      請求項４に対応する本発明の一例を示す斜視図
【図９】      図８の正面図
【図１０】      図８の拡大側面図
【図１１】      図８の平面図
【図１２】      請求項５に対応する本発明の一例を示す斜視図
【図１３】      請求項６に対応する本発明の一例を示す斜視図
【図１４】      請求項４に対応する本発明の他の一例を示す斜視図
【図１５】      図１４の他の一例を示す斜視図
【図１６】      請求項４に対応する本発明のさらに他の一例を示す斜視図
【図１７】      図１６の他の一例を示す斜視図
【符号の説明】
１        スペーサ
２        本体部
２０      鉄筋受け
２１      鉄筋受け肩
２２      支柱
３        外側の足部
３０      延設足部
４        補助本体部
４０      連結上部
４１      支柱
５        内側の足部
６        連結足部
６０      補助足部
Ａ        鉄筋
Ｂ        型面
Ｈ        隙間
【図１】
0003965042.tif 000002
【図２】
0003965042.tif 000003
【図３】
0003965042.tif 000004
【図４】
0003965042.tif 000005
【図５】
0003965042.tif 000006
【図６】
0003965042.tif 000007
【図７】
0003965042.tif 000008
【図８】
0003965042.tif 000009
【図９】
0003965042.tif 000010
【図１０】
0003965042.tif 000011
【図１１】
0003965042.tif 000012
【図１２】
0003965042.tif 000013
【図１３】
0003965042.tif 000014
【図１４】
0003965042.tif 000015
【図１５】
0003965042.tif 000016
【図１６】
0003965042.tif 000017
【図１７】
0003965042.tif 000018